(57)【要約】      （修正有）【課題】ラミネート製のチューブ容器の本体部を挟圧しながら抽出口から容器内の内容物をほぼ全量絞り出しが可能なチューブ容器の絞り具を提供する。【解決手段】絞り具Ｓ１は、半固形状の内容物Ｎを充填したチューブ容器Ｃの本体部Ｃ１を挟圧するための上部挟圧杆１、下部挟圧杆２と、両挟圧杆１、２の両端部を支持する支持部材と、両挟圧杆１、２に摺動可能に取り付けられた挟圧調整用のスライダー５とから構成されている。【選択図】図４
0003167620.tif 000002
【実用新案登録請求の範囲】
【請求項１】
容器内の残量内容物をほぼ全量絞り出して消費することが可能なチューブ容器の絞り具であって、
半固形状の内容物を充填したチューブ容器の本体部を挟圧するための上下２本からなる容器本体部挟圧杆と、
当該容器本体部挟圧杆の両端を支持する支持部材と、
前記容器本体部挟圧杆に摺動可能に取り付けられた挟圧調整用のスライダーと、
から構成されたことを特徴とするチューブ容器の絞り具。
【請求項２】
前記容器本体部挟圧杆は可撓性を有する硬質樹脂材、木材、竹又は金属からなる、
ことを特徴とする請求項１に記載のチューブ容器の絞り具。
【請求項３】
前記上下２本からなる容器本体部挟圧杆には隙間が形成されている、
ことを特徴とする請求項１又は請求項２に記載のチューブ容器の絞り具。
【請求項４】
前記容器本体部挟圧杆の縦断面が円形、四角形又は楕円形をなしている、
ことを特徴とする請求項１〜請求項３の何れかに記載のチューブ容器の絞り具。
【請求項５】
前記容器本体部挟圧杆の支持部材の一側は回動可能とし、他側の支持部材は上下に開閉可能になっている、
ことを特徴とする請求項１〜請求項４の何れかに記載のチューブ容器の絞り具。
【請求項６】
前記スライダーは前記容器本体部挟圧杆に着脱自在となっている、
ことを特徴とする請求項１に記載のチューブ容器の絞り具。
【考案の詳細な説明】
【技術分野】
【０００１】  本考案は、食品類又は化粧品類等が充填されたチューブ容器の絞り具に関する。
【背景技術】
【０００２】  従来より、半固形状商品である例えば、調味料を含む食品類、化粧品、絵具又は接着剤等は、使用上の利便性からラミネート製のチューブ容器に充填し販売されている。チューブ容器の欠点は、充填されている内容物の残量が少なくなると、使用者が所望する内容物の取り出しが難しくなり、かつ煩わしく感じる点である。したがって、容器内にはかなりの残量があるにもかかわらず燃えないゴミとして投棄されていた。いわゆる使い捨ての時代であった。しかし、近年の省資源、エコロジー思想の普及から容器内の充填物をできるだけ使いきるとの考え方が社会全体に広まってきており、チューブ容器の絞り具に関して多数の機器類や絞り具が提案されている。【０００３】  例えば、機器類を用いた絞り具としては、特許文献１（第１頁、図１参照）の「練歯磨き粉チューブ絞り器」、特許文献２（第１頁、図１参照）の「絞り方法および絞り装置」、特許文献３（第１頁、図１参照）の「チューブ絞り器」等が開示されている。手動としては、特許文献４（第１頁、図１参照）の「袋状容器絞り具」、特許文献５（第１頁、図１参照）の「袋中身絞り出し器」、特許文献６（第１頁、図１参照）の「ワンタッチ式チューブ絞り器」等がある。【０００４】  特許文献１〜３は、いずれも基台等に複数のローラーを装着し、該ローラー間にチューブを嵌め込んでローラーの回転で充填内容物を容器外に絞り出す構造であるが、装置の重量が重くかつ、装置を設置するスペースが必要であり、使用上の利便性に欠ける。特許文献４〜６は、手動式であるが、それぞれ問題点や不具合があるために、いずれも実用化されていないのが実状である。
【先行技術文献】
【特許文献】
【０００５】
【特許文献１】特開２００９−１７３３３３号公報
【特許文献２】特開２００８−２４７４４９号公報
【特許文献３】特開２００８−２１３９４１号公報
【特許文献４】特開２００６−２９０４２５号公報
【特許文献５】特開２００４−１６８３２６号公報
【特許文献６】特開２００２−２８４２０３号公報
【考案の概要】
【考案が解決しようとする課題】
【０００６】  そこで、本願考案が解決しようとする課題は、以下の通りである。すなわち、ラミネート製のチューブ容器の本体部を挟圧しながら抽出口から容器内の内容物をほぼ全量絞り出しが可能なチューブ容器の絞り具の提供である。
【課題を解決するための手段】
【０００７】  本願考案者は、上記従来技術に鑑み、鋭意検討を重ねて実用性ある本願考案を完成したものである。課題を解決するための手段は、本願、実用新案登録請求の範囲の各請求項に記載の考案であり、その具体的な解決手段は、以下の通りである。【０００８】  上記の課題を解決するための第１の考案は、請求項１に記載の考案であり、
容器内の残量内容物をほぼ全量絞り出して消費することが可能なチューブ容器の絞り具であって、半固形状の内容物を充填したチューブ容器の本体部を挟圧するための上下２本からなる容器本体部挟圧杆と、当該容器本体部挟圧杆の両端を支持する支持部材と、前記容器本体部挟圧杆に摺動可能に取り付けられた挟圧調整用のスライダーと、から構成されたことを特徴としている。【０００９】  上記の課題を解決するための第２の考案は、請求項２に記載の考案であり、
前記容器本体部挟圧杆は可撓性を有する硬質樹脂材、木材、竹又は金属からなる、ことを特徴としている。【００１０】  上記の課題を解決するための第３の考案は、請求項３に記載の考案であり、
前記上下２本からなる容器本体部挟圧杆には隙間が形成されている、ことを特徴としている。【００１１】  上記の課題を解決するための第４の考案は、請求項４に記載の考案であり、
前記容器本体部挟圧杆の縦断面が円形、四角形又は楕円形をなしている、ことを特徴としている。【００１２】  上記の課題を解決するための第５の考案は、請求項５に記載の考案であり、
前記容器本体部挟圧杆の支持部材の一側は回動可能とし、他側の支持部材は上下に開閉可能になっている、ことを特徴としている。【００１３】  上記の課題を解決するための第６の考案は、請求項６に記載の考案であり、
前記スライダーは前記容器本体部挟圧杆に着脱自在となっている、ことを特徴としている。
【考案の効果】
【００１４】  本考案に係る、チューブ容器の絞り具は、上記のような特徴的構成要件から構成され、特徴的構成要件に応じた、以下のような本考案特有の効果を奏する。また、上記のような特徴的構成要件によれば、本願考案の課題を十分に解決することができた。
即ち、第１の考案によれば、「容器内の残量内容物をほぼ全量絞り出して消費することが可能なチューブ容器の絞り具であって、半固形状の内容物を充填したチューブ容器の本体部を挟圧するための上下２本からなる容器本体部挟圧杆と、当該容器本体部挟圧杆の両端を支持する支持部材と、前記容器本体部挟圧杆に摺動可能に取り付けられた挟圧調整用のスライダーと、から構成された」という特徴的構成要件により、
また、第２の考案によれば、「前記容器本体部挟圧杆は可撓性を有する硬質樹脂材、木材、竹又は金属からなる」という特徴的構成要件により、
また、第３の考案によれば、「前記上下２本からなる容器本体部挟圧杆には隙間が形成されている」という特徴的構成要件により、
また、第４の考案によれば、「前記容器本体部挟圧杆の縦断面が円形、四角形又は楕円形をなしている」という特徴的構成要件により、
また、第５の考案によれば、「前記容器本体部挟圧杆の支持部材の一側は回動可能とし、他側の支持部材は上下に開閉可能になっている」という特徴的構成要件により、
さらに、第６の考案によれば、「前記スライダーは前記容器本体部挟圧扞に着脱自在となっている」という特徴的構成要件により、
ラミネート製のチューブ容器の本体部部を挟圧しながら抽出口から容器内の内容物をほぼ全量絞り出しが可能なチューブ容器の絞り具の提供という、本願考案の課題を解決することができた。
【図面の簡単な説明】
【００１５】
【図１】は、本願考案に係る、チューブ容器の絞り具の斜視図である。
【図２】は、同正面図である。
【図３】は、図２におけるＡ−Ａ線断面図である。
【図４】は、使用状態を示す斜視図である。
【図５】（ａ）は、容器本体部挟圧杆を円形とした断面図、（ｂ）は、容器本体部挟圧杆を四角形とした断面図、（ｃ）は、容器本体部挟圧杆を楕円形とした断面図である。
【図６】は、本願考案に係る、チューブ容器の絞り具における他の実施形態を示す斜視図である。
【図７】は、同正面図である。
【考案を実施するための形態】
【００１６】  図１は、本願考案に係るチューブ容器Ｃの絞り具Ｓ１の第１の実施形態を示している。絞り具Ｓ１は、半固形状の内容物Ｎを充填したチューブ容器Ｃの本体部Ｃ１を挟圧するための上部挟圧杆１、下部挟圧杆２と、両挟圧杆１、２の両端部を支持する支持部材３４と、両挟圧杆１、２に摺動可能に取り付けられた挟圧調整用のスライダー５とから構成されている。上部挟圧杆１、下部挟圧杆２は可撓性を有する硬質樹脂材、木材、竹又は金属を素材として製作される。また支持部材３、４及びスライダー５も同素材で製作することができる。硬質樹脂材としては、例えばＡＢＳ樹脂又はＦＲＰ等が好ましい。また上部挟圧杆１、下部挟圧杆２及び支持部材３、４は、押型成型法等の公知技術で一体的に製作することができる。
【００１７】  図２に示す巾寸Ｌは、約１００ｍｍとしている。現在流通しているチューブ容器Ｃの本体部Ｃ１の巾寸は、約２５ｍｍ〜８５ｍｍであり、巾寸Ｌは、スライダー５を支持部材４又は３の内端位置まで摺動したときに形成される最大寸法であり、約２５ｍｍ〜８５ｍｍの各種チューブ容器Ｃに対応が可能としている。ｔは、上部挟圧杆１と下部挟圧杆２の間に設定した隙間で約０．８ｍｍ〜１．５ｍｍとすることができる。隙間ｔからチューブ容器Ｃの基端シール部Ｃ２から上部挟圧杆１と下部挟圧杆２の間に挿通されて使用される。
【００１８】  図３に図示するのは、上部挟圧杆１及び下部挟圧杆２に摺動可能に取り付けられたスライダー５である。スライダー５には挿通孔５ａ、５ｂが設けられ上部挟圧杆１及び下部挟圧杆２に嵌合し、チューブ容器Ｃの本体部Ｃ１の巾寸に応じて、図１に示すように左右を摺動することができる。スライダー５は分割線５ｄ及び連結部５ｅを介し摘み５ｃにより上下に分離可能となっている。５ｆは上部挟圧杆１と下部挟圧杆２の嵌合部である。
【００１９】  図４は、絞り具Ｓ１の使用状態を示し、チューブ容器Ｃ内に充填された内容物Ｎの残量が少なくなったとき、以下の手順でチューブ容器Ｃ内の内容物Ｎを絞り出すことができる。まずチューブ容器Ｃの基端シール部Ｃ２を上部挟圧杆１と下部挟圧杆２に設けた隙間ｔから挿通し、本体部Ｃ１の巾寸に適する（本体部Ｃ１を可動できる）位置にスライダー５を摺動して固定する。つぎに一方の手で本体部Ｃ１の基端シール部Ｃ２を把持し、他方の手で上部挟圧杆１と支持部材３を把持し、図４に示すように基端シール部Ｃ２をＰ１方向に上部挟圧杆１と支持部材３をＰ２、Ｐ２方向に同時に引っ張れば、チューブ容器Ｃの抽出口Ｃ３から内容物Ｎを絞り出すことができる。
【００２０】  図５は、上部挟圧杆１及び下部挟圧杆２の断面形状を示し、（ａ）は、図１〜図４に示す実施形態で、円形としている。また（ｂ）に示すように四角形とすることができる。したがって、このときのスライダーにおける挿通孔の形状は四角形となる（不図示）。さらに（ｃ）に示すように上部挟圧杆１及び下部挟圧杆２の断面形状を楕円形とすることも可能であり、同様にスライダーにおける挿通孔の形状は楕円形となる（不図示）。
【００２１】図６及び図７は、本願考案に係るチューブ容器Ｃの絞り具Ｓ２の第２の実施形態を示している。絞り具Ｓ２は、半固形状の内容物Ｎを充填したチューブ容器Ｃの本体部Ｃ１を挟圧するための上部挟圧杆１０、下部挟圧杆２０と、両挟圧杆１０、２０の両端部を支持する支持部材３０、４０と、両挟圧杆１０、２０に摺動可能に取り付けられた挟圧調整用のスライダー５０とから構成されている。上部挟圧杆１０、下部挟圧杆２０は可撓性を有する硬質樹脂材、木材、竹又は金属を素材として製作される。また支持部材３０、４０及びスライダー５０も同素材で製作することができる。硬質樹脂材としては、例えばＡＢＳ樹脂又はＦＲＰ等が好ましい。また上部挟圧杆１０、下部挟圧杆２０及び支持部材３０、４０は、押型成型法等の公知技術で一体的に製作することができる。第２の実施形態における絞り具Ｓ２が第１の実施形態における絞り具Ｓ１との相違点は、図面で明らかなように、両挟圧杆１０、２０の一側における支持部材３０は、回動手段３１によって回動可能とされており、他側における支持部材として、係止手段３２が設けられ、支持部材３０の回動手段３１によって上下に開閉可能になっている。回動手段３１は、連結板３１ａ、３１ａと連結ピン３１ｂと３１ｂからなり、スライダー５０は摘み５０ｃを指先で摘まんで上部挟圧杆１０、下部挟圧杆２０から取り外し係止手段３２を解放すれば矢印で示すように上下に回動することができる。スライダー５０の基本構造は、図３に示す第１の実施形態のスライダー５と同様であるから、説明を省略する。また、巾寸Ｌ、隙間ｔも第１の実施形態と同様である。１０ａ、２０ａはスライダー５０のストッパーである。
【符号の説明】
【００２２】Ｃ            チューブ容器
Ｃ１          本体部
Ｃ２          基端シール部
Ｃ３          抽出口
Ｎ            内容物
Ｓ１          絞り具
１            上部挟圧杆
２            下部挟圧杆
ｔ            隙間
３、４        支持部材
５            スライダー
５ａ、５ｂ    挿通孔
５ｃ          摘み
５ｄ          分割線
５ｅ          連結部
Ｓ２          絞り具
１０          上部挟圧杆
２０          下部挟圧杆
ｔ            隙間
３０          支持部材
３１          回動手段
３２          係止手段
３１ａ        連結板
３１ｂ        連結ピン
５            スライダー
５０ａ、５０ｂ挿通孔
５０ｃ        摘み
５０ｄ        分割線
【図１】
0003167620.tif 000003
【図２】
0003167620.tif 000004
【図３】
0003167620.tif 000005
【図４】
0003167620.tif 000006
【図５】
0003167620.tif 000007
【図６】
0003167620.tif 000008
【図７】
0003167620.tif 000009